(57)【要約】【課題】シンプルかつコンパクトな構造で、複数の展示角度にも対応でき、しかも外観見栄えを向上させたスタンド及びパネル付きスタンドを提供する。【解決手段】本発明に係るスタンド１は、本体２と、本体２の上面２ａに形成された溝３ａによりカード２０を挟持する第１の挟持部３と、本体２の正面２ｂを溝の内壁面の一部とし、かつ、第１の挟持部３と異なる角度で傾斜した溝４ａによりカード２０を挟持する第２の挟持部４と、本体２の底面２ｃを溝の内壁面の一部とし、かつ、第１の挟持部３及び第２の挟持部４と異なる角度で傾斜した溝５ａによりカード２０を挟持する第３の挟持部５と、を少なくとも備えて構成されている。【選択図】図１
2013161051.tif 000002
【特許請求の範囲】
【請求項１】
本体と、
前記本体の上面に形成された溝により薄状物を挟持する第１の挟持部と、
前記本体の正面を溝の内壁面の一部とし、かつ、前記第１の挟持部と異なる角度で傾斜した溝により薄状物を挟持する第２の挟持部と、
前記本体の底面を溝の内壁面の一部とし、かつ、前記第１の挟持部及び前記第２の挟持部と異なる角度で傾斜した溝により薄状物を挟持する第３の挟持部と、
を少なくとも備えたことを特徴とするスタンド。
【請求項２】
前記本体は、上面と正面とのなす角度が直角に設定され、正面と第３の挟持部先端とのなす角度、及び上面と底面とのなす角度がそれぞれ鋭角に設定されていることを特徴とする請求項１に記載のスタンド。
【請求項３】
請求項１又は２に記載のスタンドと、当該スタンドの前記第１の挟持部、前記第２の挟持部、及び前記第３の挟持部におけるいずれの溝にも差し込み可能な開閉式パネルをさらに備えたことを特徴とするパネル付きスタンド。
【発明の詳細な説明】
【技術分野】
【０００１】
本発明は、カードや写真等、あるいはこれらを挟んだパネルを見やすい角度で展示するスタンド及びパネル付きスタンドに関する。
【背景技術】
【０００２】
従来、カードや写真等を展示するための用具として、カード立てやカードスタンド等と呼ばれるスタンドが広く知られている。この種のスタンドのうち、最もシンプルな構造のものは、本体の上面に溝が形成されており、この溝にカードを差し込んで展示するようになっている。
【０００３】
例えば、下記の特許文献１には、多溝式の簡易スタンドが記載されている。この簡易スタンドは、直方体型の本体の表面に３本の溝が設けられており、このうち１本は幅方向中央に垂直に掘り下げた溝、残りの２本はこれと直交するように互いに異なる傾斜角度で掘り下げた溝である。そして、この３本の溝のうち任意のものを選んでカードを差し込むことにより、カードの展示角度を変えられるようになっている。
【先行技術文献】
【特許文献】
【０００４】
【特許文献１】実用新案登録第３１１４３２６号公報
【発明の概要】
【発明が解決しようとする課題】
【０００５】
特許文献１に記載された簡易スタンドは、複数の溝を設けることによって、溝の角度が異なるスタンドを別途用意する必要がなく、１台で複数の展示角度に対応できるという利点がある。しかし、いずれの溝にカードを差し込んだ場合であっても、正面から見ると使用していない残りの溝が必ず見えてしまうため、外観見栄えが悪いという欠点がある。また、傾斜した溝を利用する場合には、カードが倒れないように深く差し込まなければならず、その差し込んだ分だけカードの表示が隠れてしまい、しかも溝を深く設定するとスタンドの厚さが大きくなり、コンパクト化を図れないという欠点もある。
【０００６】
そこで、本発明は、このような問題を解決するためになされたものであり、その目的とするところは、シンプルかつコンパクトな構造で、複数の展示角度にも対応でき、しかも外観見栄えを向上させたスタンド及びパネル付きスタンドを提供することにある。
【課題を解決するための手段】
【０００７】
前記の目的を達成するため、本発明に係るスタンドは、本体と、前記本体の上面に形成された溝により薄状物を挟持する第１の挟持部と、前記本体の正面を溝の内壁面の一部とし、かつ、前記第１の挟持部と異なる角度で傾斜した溝により薄状物を挟持する第２の挟持部と、前記本体の底面を溝の内壁面の一部とし、かつ、前記第１の挟持部及び前記第２の挟持部と異なる角度で傾斜した溝により薄状物を挟持する第３の挟持部と、を少なくとも備えたことを特徴とする。ここで、薄状物とは、素材や用途は問わず、厚さが薄い状態の物の総称であり、例えばプライスカードやＰＯＰカード等のカード類、写真、ラミネート加工やパウチ加工したシート、あるいはパネル等が含まれる。
【０００８】
また、前記の構成からなるスタンドにおいて、前記本体は、上面と正面とのなす角度が直角に設定され、正面と第３の挟持部先端とのなす角度、及び上面と底面とのなす角度がそれぞれ鋭角に設定されている構成とすることができる。
【０００９】
また、前記の目的を達成するため、本発明に係るパネル付きスタンドは、前記いずれかのスタンドと、当該スタンドの前記第１の挟持部、前記第２の挟持部、及び前記第３の挟持部におけるいずれの溝にも差し込み可能な開閉式パネルをさらに備えたことを特徴とする。
【発明の効果】
【００１０】
本発明に係るスタンドによれば、少なくとも３本ある溝（第１、２及び３の挟持部）の中から１本を任意に選び、展示したいカードや写真等の薄状物をその溝に差し込んで挟持し、設置する面と向きを変えることによって、それぞれ異なる角度で薄状物を展示することができる。また、どの溝を選んで設置した場合でも、残りの溝はスタンド正面からは隠れて見えなくなるので、美観を損なうことがなく、薄状物をコンパクトに見やすく展示することができる。
【図面の簡単な説明】
【００１１】
【図１】本発明に係るスタンドの全体構造を示す斜視図である。
【図２】本発明に係るスタンドの側面を示す拡大図である。
【図３】本発明に係るスタンドの第１の挟持部にカードを差し込んだ状態を示す説明図である。
【図４】本発明に係るスタンドの第２の挟持部にカードを差し込んだ状態を示す説明図である。
【図５】本発明に係るスタンドの第３の挟持部にカードを差し込んだ状態を示す説明図である。
【図６】本発明に係るパネル付きスタンドの全体構造を示す斜視図である。
【図７】本発明に係るパネル付きスタンドの使用時の状態を示す説明図である。
【発明を実施するための形態】
【００１２】
以下、本発明を実施するための形態について、図面を参照しながら説明する。
【００１３】
図１に示すように、本実施形態のスタンド１は、カードや写真等の薄状物を展示するための用具であって、本体２と、少なくとも３本の溝からなる挟持部３，４，５を備えて構成されている。本体２は、例えばアルミニウム等の金属を押出成形することにより、全体が三角柱型に成形され、上面２ａ、正面２ｂ及び底面２ｃの３つの側面を有している。
【００１４】
図２に示すように、本体２の上面２ａには、薄状物を垂直に立てた状態で展示するための、第１の挟持部３が形成されている。この第１の挟持部３は、本体２の上面２ａから設置面に向かって垂直に掘り下げた凹型の溝３ａにより構成されている。溝３ａは、本体２の長手方向に沿って一列に設けられている。
【００１５】
また、本体２の正面２ｂには、薄状物をやや倒した状態で展示するための、第２の挟持部４が形成されている。この第２の挟持部４は、正面２ｂの下端を上方に折り返してなる係止片４ｂを有しており、正面２ｂが溝の内壁面の一部となっていて、第１の挟持部３と異なる角度で傾斜した凹型の溝４ａにより構成されている。溝４ａは、本体２の長手方向に沿って一列に設けられている。
【００１６】
さらに、本体２の底面２ｃには、薄状物をより寝かせた状態で展示するための、第３の挟持部５が形成されている。この第３の挟持部５は、底面２ｃの後端を前方に折り返してなる係止片５ｂを有しており、底面２ｃが溝の内壁面の一部となっていて、第１の挟持部３及び第２の挟持部４と異なる角度で傾斜した凹型の溝５ａにより構成されている。溝５ａは、本体２の長手方向に沿って一列に設けられている。
【００１７】
ここで、本実施形態では、設置面に対して薄状物を９０度、６０度、３０度のそれぞれの角度で展示できるように、本体２の形状が次のように設計されている。すなわち、本体２は、上面２ａと正面２ｂとのなす角度Ａが直角（９０度）に設定され、正面２ｂと第３の挟持部５先端とのなす角度Ｂが鋭角（６０度）に設定され、上面２ａと底面２ｃとのなす角度Ｃが鋭角（３０度）に設定されている。また、底面２ｃと第３の挟持部５先端とのなす角度Ｄは鋭角（１０度）に設定されている。
【００１８】
なお、本体２や溝３ａ，４ａ，５ａのサイズは特に限定されず、対象となる薄状物にあわせて適宜決定される。本実施形態では、名刺サイズ（縦５５ｍｍ×横９９ｍｍ）のカードを設置できるように、本体２はその幅Ｗ１が約８０ｍｍ、溝３ａ，４ａ，５ａはその幅が約２ｍｍ、深さが５ｍｍに設定されている。
【００１９】
本実施形態のスタンド１は以上のとおりに構成されており、以下にその使用方法を説明する。
【００２０】
本実施形態のスタンド１を使用して、例えばカード２０を垂直に立てた状態で展示したい場合には、図３に示すように第１の挟持部３の溝３ａにカード２０を差し込む。このとき、文字等を表示したカード２０の表面が、スタンド１の背面側を向くようにする。そして、スタンド１の底面２ｃを下に向け、商品の陳列棚の上に置いてセットする。これにより、カード２０を垂直に立てた状態（設置面に対して９０度の姿勢）で展示することができる。なお、図の矢印で示す正面側から見ると、使用していない第２の挟持部４の溝４ａはカード２０の裏側に隠れて見えず、第３の挟持部５の溝５ａは後ろを向いて見えないため、美観を損なうことがない。
【００２１】
次に、カード２０をやや倒した状態で展示したい場合には、図４に示すようにスタンド１の前後を入れ替えて、第２の挟持部４の溝４ａにカード２０を差し込む。このとき、カード２０は溝４ａの傾斜面に沿って少し傾くが、係止片４ｂがカード２０の下端部を抑え、スタンド１の正面２ｂが背もたれとなって支えるので、カード２０が倒れることはない。そして、スタンド１の底面２ｃを下に向け、商品の陳列棚の上に置いてセットする。これにより、カード２０をやや倒した状態（設置面に対して６０度の姿勢）で展示することができる。なお、この場合、図の矢印で示す正面側から見ると、使用していない第１の挟持部３の溝３ａはカード２０の裏側に隠れて見えず、第３の挟持部５の溝５ａは本体２と設置面との間に隠れて見えないため、美観を損なうことがない。
【００２２】
さらに、カード２０をより寝かせた状態で展示したい場合には、図５に示すようにスタンド１の天地をひっくり返し、第３の挟持部５の溝５ａにカード２０を差し込む。このとき、カード２０は溝５ａの傾斜面に沿って大きく傾くが、係止片５ｂがカード２０の下端部を抑え、最も長く設定された底面２ｃが背もたれとなって広い面積を支えるので、やはりカード２０が倒れることはない。そして、スタンド１の上面２ａを下にして、商品の陳列棚の上に置いてセットする。これにより、カード２０をより寝かせた状態（設置面に対して３０度の姿勢）で展示することができる。なお、この場合、図の矢印で示す正面側から見ると、使用していない第１の挟持部３の溝３ａと第２の挟持部４の溝４ａは、共にスタンド１の後ろ側に隠れて見えないため、美観を損なうことがない。
【００２３】
このように、本実施形態のスタンド１によれば、少なくとも３本ある溝３ａ，３ｂ，３ｃの中から１本を任意に選び、その溝にカード２０を差し込んで挟持し、設置する面と向きを変えることによって、それぞれ異なる角度でカード２０を展示することができる。また、どの溝を選んで展示した場合でも、残りの溝はスタンド正面からは隠れて見えなくなるので、美観を損なうことがなく、カード２０を見やすく展示することができる。
【００２４】
以上の実施形態では、カード２０を溝３ａ，４ａ，５ａに直接差し込んで展示した例を説明したが、これに代えて、カード２０を挟んだパネルを利用して展示するようにしても良い。
【００２５】
図６に示すように、この実施形態のパネル付きスタンド１０は、前記の構成からなるスタンド１に加え、スタンド１の第１の挟持部３、第２の挟持部４、及び第３の挟持部５におけるいずれの溝にも差し込み可能な開閉式パネル６をさらに備えたものである。この開閉式パネル６は、例えばアクリル樹脂等からなる合成樹脂板を折り曲げ加工することにより、側面から見てＶ字型に２つ折りされ、カード等を挿入する挿入口７が設けられている。なお、この開閉式パネル６のサイズは特に限定されないが、その幅Ｗ２はスタンド１の幅Ｗ１よりもやや広い程度、折り曲げ角度Ｅは約１０度程度に設定するのが好ましい。
【００２６】
このパネル付きスタンド１０を使用する場合には、図７に示すように、まず開閉式パネル６の挿入口７から展示したいカード２０等を挿入する。開閉式パネル６はあらかじめ挿入口７が外側に開いているため、カード２０等を挿入しやすくなっている。
【００２７】
次に、開閉式パネル６を掴んで挟み、挿入口７を閉じた状態で、挟持部（図７の例では第１の挟持部３）の溝３ａに差し込む。ここで、溝３ａに差し込んだ後に指を離すと、開閉式パネル６が弾力で元の状態に戻ろうとして開くため、溝３ａ内で開閉式パネル６の開口端部を支持固定することができる。
【００２８】
このように、本実施形態のパネル付きスタンド１０を使用すれば、前記の実施形態と同様に異なる角度でカード２０を展示することができるとともに、開閉式パネル６内に挟み込まれたカード２０を汚さず、しかも安定して展示することができる。
【００２９】
なお、以上の実施形態では、本体２をアルミニウムの押出成形により構成したが、本体２の材料は金属に限らず、合成樹脂、ガラス、木材等の各種材料を使用しても良い。また、本体２の形状を三角柱以外の多角柱とし、挟持部の個数は３個に限らず可能な限り増やすことができる。
【符号の説明】
【００３０】
１…スタンド
２…本体
２ａ…上面
２ｂ…正面
２ｃ…底面
３…第１の挟持部
３ａ…溝
４…第２の挟持部
４ａ…溝
４ｂ…係止片
５…第３の挟持部
５ａ…溝
５ｂ…係止片
６…開閉式パネル
７…挿入口
１０…パネル付きスタンド
２０…カード
【図１】
2013161051.tif 000003
【図２】
2013161051.tif 000004
【図３】
2013161051.tif 000005
【図４】
2013161051.tif 000006
【図５】
2013161051.tif 000007
【図６】
2013161051.tif 000008
【図７】
2013161051.tif 000009